(57)【要約】【課題】  被泡立て物を撹拌して泡立て可能な携帯型泡立て装置を提供すること。【解決手段】  容器等内で飲食物および嗜好品等を撹拌と泡立てを行なう携帯型泡立て装置において、多数の突起を回転体の軸線周りにランダムあるいは歯車状もしくはスパイラル状に有する撹拌用の回転子１とし、この回転子１の一部は通気孔１ｍを有している。カバーケースは、その筒状内に突出箇所を設け、回転子との間で狭帯域を形成する。飲食物の種類に対応して、キャップケースとカバーケース等は着脱、選び換えて使用できる携帯型の装置とする。【選択図】  図２
2006075373.tif 000002
【特許請求の範囲】
【請求項１】
容器等内で飲食物および嗜好品等を撹拌と泡立てを行なう携帯型泡立て装置において、
多数の突起を回転体の軸線周りにランダムあるいは歯車状もしくはスパイラル状に有する撹拌用の回転子とし、
この回転子の一部は通気孔を有していることを特徴とする携帯型泡立て装置。
【請求項２】
吸い込み口と吐き出し口を有するカバーケースは、溶液の飛散を防止すると共に、その筒状内に突出箇所を設け、回転子との間で狭帯域を形成することを特徴とする請求項１記載の携帯型泡立て装置。
【請求項３】
キャップケース内に回転子を回転可能な駆動部を収め、このキャップケースに、用途によりカバーケースを選び換えて着脱使用できる特徴を持つ請求項１または２記載の携帯型泡立て装置。
【発明の詳細な説明】
【技術分野】
【０００１】
本発明は、容器に入れた液体や粉末粒子等を混合、撹拌、さらに泡立てるのに有用な携帯型泡立て装置で、飲食物や抹茶、コーヒー、ヨーグルト、酒等の嗜好品等に使用できる浸漬タイプの小形・軽量の携帯型泡立て装置に関する。
【背景技術】
【０００２】
泡立て器としては、たとえば茶筅があり、お茶を点てる場合、茶筅を撹拌体として小刻みに振動させることで、粉末粒子状の抹茶を衝撃作用により細かく砕いて溶かし込み適度に泡を立てている。ところで茶筅は、構造的に他の飲食物への転用は殆どなく、また、茶筅の穂先は折損し易いし、茶渋等によって汚れ易く、十分な管理と慎重な取り扱いを要求され、消耗品としての一面がある。
一方、メカニック的なものとしては、たとえば特許文献１に記載されている手持ち型ブレンダーがある。この構成は、駆動モーターの駆動力を受けて回転する回転軸先端の回転子で被泡立て物を撹拌して泡立てするものである。
この特許文献１のように、回転子が剥き出しである場合、回転する回転子によって被泡立て物が飛ばされて飛散することがある。また、被泡立て物が抹茶等の粉末であるものでは、お湯の温度や水質により、小さな塊やだまになり易く、適度な泡を立てにくいという問題がある。
さらに、このように回転子が剥き出しであるものは、被泡立て物が入る容器を回転子そのもので傷つけてしまうことがある。
【特許文献１】特表２００１−５００７７４公報
【発明の開示】
【発明が解決しようとする課題】
【０００３】
解決しようとする課題は、第１には、溶液状の被泡立て物を撹拌して泡立て可能な携帯型泡立て装置を、第２には、さらに、撹拌、泡立て中における被泡立て物の飛散を抑制し、撹拌能力が高く、効率的に泡立て可能な携帯型泡立て装置を、第３には、さらに、被泡立て物の種類に応じて手早く泡立て可能な携帯型泡立て装置を提供することにある。
【課題を解決するための手段】
【０００４】
本発明は前記した課題を達成するため、以下の構成にしたことを特徴とする。
１．容器等内で飲食物および嗜好品等を撹拌と泡立てを行なう携帯型泡立て装置において、多数の突起を回転軸線周りにランダムあるいは歯車状もしくはスパイラル状に有する撹拌用の回転子とし、この回転子の一部に通気孔を有していることを特徴とする。
回転子は、外周面部に多数の突起を同心円状に有している一枚の歯車からなる一段歯車状部を有する態様、それぞれ外周面部に多数の突起を同心円状に有している複数の歯車からなる多段歯車状部を有する態様、胴部外周面部に多数の突起を同心円状および／またはスパイラル状に形成した歯車状部を有する態様のいずれであってもよいし、また、これらの各歯車状部の適宜組み合わせからなる態様のものでもよい。この突起は、独立した突起であってもよいし、連続した突起すなわち突条でもよい。また、突起は、回転子が多段歯車状である場合、各段の突起が軸線方向に沿い連続した突条を呈する態様もあり、この態様のものも含まれる。さらに、突起は下向きあるいは横向きもしくは斜め下向きであってもよい。突起の先端は、先鋭状あるいは先丸状もしくは截頭状でもよく、たとえば回転子が歯車状である場合、その歯先を先鋭状あるいは先丸状もしくは截頭状のいずれにしてもよい。
かかる回転子は、高速回転（手動あるいは自動）することで、被泡立て物に旋回乱流を発生させて、被泡立て物を粉砕、撹拌、混合、泡立てして放射状に拡散し得るものであればよい。また、撹拌効率のアップのため、被泡立て物を汲み上げ可能な働きを兼ね備えた態様のものであることが望ましい。そのため、回転子は、当該回転子下側に汲み上げ体を同軸線上に備えている態様であってもよい。この汲み上げ体は、プロペラあるいはスクリュー軸もしくはこれらに類した他のもの等であり、被泡立て物を上位の回転子に向けて汲み上げるのに適したものであればよい。これにより、被泡立て物が回転子に向けて強制的に送られることになるので、積極的に撹拌が行なわれ、撹拌能力が高く、効率的に泡立てされることになる。
また、回転子の一部に設けられた上下に貫通状の通気孔は、被泡立て物の撹拌・泡立て中に、この通気孔を経て空気が回転子下側に通り抜け、撹拌されている被泡立て物中に入り込むことで、泡立てが促進されるようにしてある。これにより、回転子を回転させて被泡立て物に浸漬することで、被泡立て物に旋回乱流を発生させられると共に、強制的に気泡が被泡立て物中に送り込まれることになるので、被泡立て物は効率良く泡立てされる。
【０００５】
２．前記した１において、吸い込み口と吐き出し口を有するカバーケースは、溶液の飛散を防止すると共に、その筒状内に突出箇所を設け、回転子との間で狭帯域を形成することを特徴とする。
カバーケースは、内部に回転子が収まり、溶液の飛散を防止する形態のものであればよい。そして、筒状体内の突出箇所は単数であってもよいし、複数であってもよく、この突出箇所と回転子との間で狭帯域を形成する限り制限はない。この狭帯域では気泡が溶液中に混入されることになる。さらに、その小さな気泡を含んだ溶液は狭帯域を通過する過程で流速と圧力の変化を受け乱流となり、気泡はより微細なものになる。回転子による旋回乱流の発生は、筒状体内面における羽状あるいは突起状等の突出箇所すなわち乱流促進部によって、旋回乱流の発生が促進されることになる。この乱流促進部は、なくともよいが、あれば泡立て効率がさらにアップすることになる。また、突出箇所はカバーケース外に微細な気泡を含んだ溶液を放出する案内板としての役目を持つように例えば羽状に形成してもよい。
【０００６】
３．前記した１または２において、キャップケース内に回転子を回転可能な駆動部を収め、このキャップケースに、用途によりカバーケースを選び換えて着脱使用可能にしてあることを特徴とする。
そのため、かかる携帯型泡立て装置では、外部電源あるいは内蔵した電池や蓄電池等の電源と連絡するモーターを有しているキャップケースと、当該キャップケースの下側のカバーケースからなり、カバーケースは、筒状体内の飛散防止兼泡立て空間部に回転子をモーターの駆動軸と着脱可能に接続させて回転可能に備え、且つ、筒状体に、吸い込み口部と、この吸い込み口部に前記飛散防止兼泡立て空間部を経て連通状の吐き出し口部を開口形成してある態様にするのが望ましい。
飛散防止兼泡立て空間部を経て連通状に形成される吸い込み口部と吐き出し口部は、ともに筒状体の側面部に形成してもよいし、吸い込み口部を筒状体下端に、吐き出し口部を筒状体側面部に形成するようにしてもよい。筒状体は円筒状あるいは角筒状もしくはこれらに類する形態のいずれであってもよい。吸い込み口部および吐き出し口部は単数であってもよいし、複数であってもよく、この口の形状に制限はない。被泡立て物に浸漬される回転子は撥水性部材をコーティングして形成してもよいし、撥水性部材そのもので形成してもよく、この点、同じように被泡立て物に浸漬される筒状体についても同様である。
これにより、吸い込み口部から飛散防止兼泡立て空間部に吸い込まれた被泡立て物は、同空間部内における回転子の回転によって作り出されている旋回乱流および回転子の突起で撹拌されて泡立てられることになる。
そして、かかる撹拌、泡立てが飛散防止兼泡立て空間部において行なわれるので、撹拌時に生じる飛沫は筒状体内面に衝突して阻止され、一部の飛沫が吐き出し口部から吐出されることになり、被泡立て物の飛散が抑制されることになる。また、回転子が筒状体の飛散防止兼泡立て空間部内に位置していることにより、カバーケース下端を容器に接触させた状態で泡立て操作しても、容器は傷つけられず、泡立てされることになる。
さらに、回転子が着脱可能であるから、泡立て物の種類に応じた回転子にすることで、効率良く撹拌して泡立てされることになる。また、だまができやすい抹茶等の微細粉末状の被泡立て物である場合においても、効率良く泡立てされることになる。
【０００７】
４．前記した３において、飛散防止兼泡立て空間部の入口としての吸い込み口部を筒状体における軸線方向の下端に開口し、飛散防止兼泡立て空間部の出口としての吐き出し口部を筒状体側面部に内部の回転子と対向させて開口し、この飛散防止兼泡立て空間部内において、回転する回転子により吸い込み口部から吸い込みした被泡立て物を粉砕、撹拌、混合、泡立てした後に、当該被泡立て物を吐き出し口部から吐出可能に形成してある態様にするのが望ましい。
吸い込み口部は、筒状体下端部を全開して形成してもよいし、下端部の一部を開いて形成してもよく、また、網目のスクリーン状に形成してもよい。吐き出し口部は、横長孔状あるいは縦長孔状もしくは網目のスクリーン状のいずれに形成してもよい。
これにより、被泡立て物は、下端の吸い込み口部から飛散防止兼泡立て空間部内に吸い込まれて粉砕、撹拌、混合、泡立てされた後に、同空間部内から筒状体側面の上方の吐き出し口部を通り抜けて吐出される。したがって、被泡立て物が入った容器にカバーケースを立てた状態で浸漬した場合、被泡立て物の泡立てルートは下方から上方へ移動して撹拌されて泡立てられた後に水平方向に放射状に拡散するという所謂一方通行の流れになり、効率良く泡立てされることになる。
【０００８】
５．前記した３または４において、カバーケースとキャップケースを分離可能に接続し、モーターの駆動軸に対する回転子の接続関係を着脱・交換可能な接続関係にしてある態様にするのが望ましい。
カバーケースとキャップケースの分離可能な接続関係は、嵌め合いあるいは螺子込みもしくはその他の公知の着脱可能な接続関係であればよい。同様に、駆動軸と回転子の着脱・交換可能な接続関係についても、嵌め合いあるいは螺子込みもしくはその他の公知の着脱可能な接続関係であれば全て含まれる。
これにより、さらに、カバーケースとキャップケースが分離可能な接続関係で、しかも、駆動軸と回転子が着脱・交換可能な接続関係であるため、キャップケースを分離して回転子が露出した状態あるいは駆動軸から回転子を外した状態にすることで、点検や洗浄あるいは消毒等を迅速に行なえることになる。
【発明の効果】
【０００９】
Ａ．請求項１により、突起を有する回転子を回転させて被泡立て物に浸漬することで、被泡立て物に旋回乱流を発生させることができ、被泡立て物を撹拌して泡立てることができる。
そして、この被泡立て物の撹拌・泡立て中に、回転子の一部に設けられた通気孔を経て空気が回転子下側に通り抜け、撹拌されている被泡立て物中に入り込むことで、泡立てが促進される。
これにより、回転子を回転させて被泡立て物に浸漬することで、被泡立て物に旋回乱流を発生させられると共に、強制的に気泡を被泡立て物中に送り込むことができるので、被泡立て物を効率良く泡立てすることができ、だまができやすい抹茶等の微細粉末状の被泡立て物である場合においても、効率良く泡立てすることができる。
Ｂ．請求項２により、さらに、吸い込み口部からカバーケース内に吸い込まれた被泡立て物は、同ケース内における突出箇所と回転子との間の狭帯域を通過する過程で繰り返し強制的に撹拌されるため、撹拌効率および泡立て効率が高い。
そして、かかる撹拌、泡立てをカバーケース内において行なうので、撹拌時に生じる飛沫は筒状ケース内面に衝突して阻止されるため、被泡立て物の飛散を抑制できる。また、回転子が筒状ケース内に位置していることにより、カバーケース下端を容器に接触させた状態で泡立て操作しても、容器を傷つけずに泡立てすることができる。
Ｃ．請求項３により、さらに、駆動部の駆動力を受けて回転する回転子で被泡立て物を手早く泡立てすることができる。
さらに、カバーケースが着脱可能であるから、泡立て物の種類や容器の大きさに応じたカバーケースに選び換えることで、効率良く撹拌して泡立てすることができる。
【発明を実施するための最良の形態】
【００１０】
図１には本発明の携帯型泡立て装置における回転子の実施の１形態を例示している。
図１の（Ａ）に示す回転子１は、下位のスクリュー軸１ａと、中位の上下の平歯車１ｃと、上位の歯車１ｅからなり、３者一体に回転するように同軸上に備えてある。この下位のスクリュー軸１ａは螺旋溝１ｂを有し、回転することで被泡立て物を強制的に汲み上げ可能に形成してある。中位にある上下の同形の平歯車１ｃは横向き突部１ｄをそれぞれ有し、回転することで先に汲み上げられた被泡立て物に旋回乱流を発生させ且つ被泡立て物がだまにならぬように粉砕し泡立て飛散可能に形成してある。上位の歯車１ｅは下向き突部１ｆを有し、被泡立て物に旋回乱流を発生させ且つ被泡立て物がだまにならぬように粉砕し泡立て飛散可能に形成してある。
そして、上位の歯車１ｅおよび中位の上下の平歯車１ｃにはそれぞれ通気孔１ｍを上下に貫通状に開口してあり、この通気孔１ｍを通り強制的に気泡が被泡立て物中に送り込まれて、被泡立て物が効率良く泡立てされるように形成してある。
【００１１】
図１の（Ｂ）に示す回転子１は、下位のスクリュー１ｇと、上位の上中下の平歯車１ｃからなり、２者一体に回転するように同軸上に備えてある。この下位のスクリュー１ｇは、回転することで被泡立て物を強制的に汲み上げ可能に形成してある。上位にある上中下の大小中の平歯車１ｃは横向き突部１ｄをそれぞれ有し、回転することで先に汲み上げられた被泡立て物に旋回乱流を発生させ且つ被泡立て物がだまにならぬように粉砕し泡立て飛散可能に形成してある。
そして、上位の上下の平歯車１ｃにはそれぞれ通気孔１ｍを上下に貫通状に開口してあり、この通気孔１ｍを通り強制的に気泡が被泡立て物中に送り込まれて、被泡立て物が効率良く泡立てされるように形成してある。
【００１２】
図１の（Ｃ）に示す回転子１は、下位の歯車１ｅと、上位の上中下の平歯車１ｃからなり、２者一体に回転するように同軸上に備えてある。この下位の歯車１ｅは下向き突部１ｆを有し、回転することで被泡立て物に旋回乱流を発生させ且つ被泡立て物がだまにならぬように粉砕し泡立て飛散可能に形成してある。上位にある上中下の大小大の平歯車１ｃは横向き突部１ｄをそれぞれ有し、回転することで被泡立て物に旋回乱流を発生させ且つ被泡立て物がだまにならぬように粉砕し泡立て飛散可能に形成してある。この態様のものでは、下位の歯車１ｅと上位の平歯車１ｃが旋回乱流を発生させて被泡立て物を飛散することにより、下方から被泡立て物が汲み上げられることになる。
そして、上位の上下の平歯車１ｃにはそれぞれ通気孔１ｍを上下に貫通状に開口してあり、この通気孔１ｍを通り強制的に気泡が被泡立て物中に送り込まれて、被泡立て物が効率良く泡立てされるように形成してある。
【００１３】
図１の（Ｄ）に示す回転子１は、輪郭を下端が先鋭状の半紡錘形状に形成してあり、下位のスパイラル軸１ｈと中位の胴軸１ｊと上位の平歯車１ｃが３者一体に回転するように同軸上に備えてある。この下位のスパイラル軸１ｈは螺旋状の突条１ｉを有し、回転することで被泡立て物を強制的に汲み上げ可能に形成してある。
中位の胴軸１ｊは突起部１ｋを螺旋軌道上に等間隔状に配設して有し、回転することで先に汲み上げられた被泡立て物をさらに汲み上げると共に、被泡立て物に旋回乱流を発生させ且つ被泡立て物がだまにならぬように粉砕し泡立て飛散可能に形成してある。上位の平歯車１ｃは横向き突部１ｄを有し、回転することで先に汲み上げられた被泡立て物に旋回乱流を発生させ且つ被泡立て物がだまにならぬように粉砕し泡立て飛散可能に形成してある。
そして、上位の歯車１ｃおよび中位の胴軸１ｊには通気孔１ｍを上下に貫通状に開口してあり、この通気孔１ｍを通り強制的に気泡が被泡立て物中に送り込まれて、被泡立て物が効率良く泡立てされるように形成してある。
【００１４】
図２〜図３には本発明の携帯型泡立て装置における実施の１形態を例示しており、回転子として図１の（Ａ）の回転子１を組み付けている。この携帯型泡立て装置２は、バッテリー４およびこのバッテリー４と連絡したモーター５並びに調速回路１６等からなる駆動部２０を有しているキャップケース３と、当該キャップケース３の下側に脱着可能に接続されているカバーケース７とで構成してある。
キャップケース３は、上端が閉じられて下端が開口している略円筒状に形成して持ちやすいようにしてあると共に、持った状態で側面のスイッチ６をＯＮすることによりモーター５が回転して撹拌・泡立て運転し、ＯＦＦにすることでモーター５が停止するように制御可能にしてある。また、キャップケース３にはジャック１５を備え、このジャック１５に電源プラグ１７を差し込み、スイッチ６をＯＮ、ＯＦＦすることによっても、モーター５の運転を制御可能にしてある。モーター５の駆動軸５ａ部分にはグリス等の防水材１８をオイルシール等の防水パッキング１９で封入することで、浸水がないようにしてある。
そして、キャップケース３における軸線方向の下端の被嵌合部３ａにはカバーケース７上端の嵌合部７ａを脱着可能に嵌合して接続してある。
【００１５】
カバーケース７は、筒状体８上端の開口を嵌合部７ａとして形成してあり、この筒状体８内の飛散防止兼泡立て空間部９には回転子１をモーター５の駆動軸５ａとジョイント１１を経て接続させて回転可能に備えてある。
そして、飛散防止兼泡立て空間部９の入口としての吸い込み口部１２を筒状体８における軸線方向の下端に開口し、飛散防止兼泡立て空間部９の出口としての吐き出し口部１３を筒状体８の側面部８ａに内部の回転子１と対向させて開口し、この飛散防止兼泡立て空間部９内において、回転する回転子１により吸い込み口部１２から吸い込みした被泡立て物を粉砕、撹拌、混合、泡立てした後に、当該被泡立て物を吐き出し口部１３から吐出可能に形成してある。
【００１６】
飛散防止兼泡立て空間部９は、筒状体８内における下端の吸い込み口部１２と上位の吐き出し口部１３との間に形成してあり、下端の吸い込み口部１２から筒状体８内に吸い込まれた被泡立て物が同空間部９を上方に移動途中に撹拌され泡立てられた後に、同空間部９上位の吐き出し口部１３から外部へ吐出されるようにしてある。
この飛散防止兼泡立て空間部９における回転子１は、下位のスクリュー軸１ａと、中位の上下の平歯車１ｃと、上位の歯車１ｅからなり、３者一体に回転するように同軸上に備えてある。また、回転子１はジョイント１１に着脱可能に接続して駆動軸５ａと一体回転するようにしてある。
【００１７】
吸い込み口部１２は筒状体８下端を軸線方向と直交する水平方向に沿うように整えることによって円状に形成してあり、この吸い込み口部１２の口縁を座部１４として倒立し得るようにしてある。吐き出し口部１３は筒状体８の側面部８ａ上位に縦長孔状に開口してある。そして、吐き出し口部１３は、飛散防止兼泡立て空間部９内の回転子１における下位のスクリュー軸１ａを除いた中位の上下の平歯車１ｃおよび上位の歯車１ｅと内外に対向するように配設してあり、飛散される被泡立て物の飛沫の一部が通過し得るように形成してある。
【００１８】
図４には本発明の携帯型泡立て装置における実施の他の１形態を例示しており、構成は前記した図２の態様のものと基本的に同一であるため、共通している構成の説明は符号を準用して省略し、相違する構成について説明する。回転子には図１の（Ｂ）の回転子１を一部変更したものを組み付けている。
回転子１は、下位のスクリュー１ｇと、上位の上中下の平歯車１ｃからなり、２者一体に回転するように同軸上に備えてある。下位のスクリュー１ｇは、回転することで吸い込み口部１２から被泡立て物を飛散防止兼泡立て空間部９に吸い込み可能に形成してある。上位にある上中下の大小の平歯車１ｃは横向き突部１ｄを有し、回転することで飛散防止兼泡立て空間部９に旋回乱流を発生させ且つ被泡立て物がだまにならぬように粉砕し泡立て飛散可能に形成してある。
吸い込み口部１２は有底状の筒状体８における側面部８ａ下位に開口してあり、底部を座部１４として倒立し得るようにしてある。吐き出し口部１３は筒状体８の側面部８ａ上位に縦長孔状に開口してある。そして、側面部８ａに等間隔状に周設した吐き出し口部１３は、飛散防止兼泡立て空間部９内の回転子１における下位のスクリュー１ｇを除いた上位の上中下の平歯車１ｃと内外に対向するように配設してあり、飛散される被泡立て物の飛沫の一部が通過し得るように形成してある。
【００１９】
図５には本発明の携帯型泡立て装置における実施の他の１形態を例示しており、構成は前記した図２の態様のものと基本的に同一であるため、共通している構成の説明は符号を準用して省略し、相違する構成について説明する。回転子には図１の（Ｂ）の回転子１を一部変更したものを組み付けている。
回転子１は、下位のスクリュー１ｇと、上位の上中下の平歯車１ｃからなり、２者一体に回転するように同軸上に備えてある。下位のスクリュー１ｇは、回転することで吸い込み口部１２から被泡立て物を飛散防止兼泡立て空間部９に吸い込み可能に形成してある。上位にある上中下の大小の平歯車１ｃは横向き突部１ｄを有し、回転することで飛散防止兼泡立て空間部９に旋回乱流を発生させ且つ被泡立て物がだまにならぬように粉砕し泡立て飛散可能に形成してある。
カバーケース７は、側面部８ａにおける飛散防止兼泡立て空間部９内の回転子１と対向する下側部分８ｂをメッシュ状に形成してあり、この態様のものでは、下側部分８ｂにおける下位が吸い込み口部１２として、上位が吐き出し口部１３として、それぞれ働くことになる。
【００２０】
図６および図7には本発明の携帯型泡立て装置における実施の他の１形態を例示しており、構成は前記した図２の態様のものと基本的に同一であるため、共通している構成の説明は符号を準用して省略し、相違する構成について説明する。
カバーケース７における筒状体８は、側面部８ａ内面に羽状の乱流促進部８ｄを突設してある。この乱流促進部８ｄは、吐き出し口部１３に沿うように配設してあり、この乱流促進部８ｄと平歯車１ｃとの間で狭帯域２１を形成することで、旋回乱流の一部にさらに乱流を強制的に生じさせることにより旋回乱流の発生を補助している。かかる乱流促進部８ｄは、単数あるいは複数のいずれであってもよい。
また、回転子１における平歯車１ｃには上下に貫通する通気孔１ｍを開孔してあり、被泡立て物の撹拌・泡立て中に、この通気孔１ｍを経て空気が平歯車１ｃ下側に通り抜け、撹拌されている被泡立て物中に入り込み、泡立てが促進されるようにしてある。
【００２１】
前記した図２〜図６における回転子１は、図１の（Ａ）〜（Ｄ）のいずれにすることも自由であり制限はない。また、図示していないが、キャップケース部３およびカバーケース７を細長いデザイン形状に成形することで、口径が小さい容器あるいは深い容器に対応可能にすることも自由である。さらに、側面部８ａにおける縦長状開口を、下位が吸い込み口部１２として、上位が吐き出し口部１３として、それぞれ働くように形成してもよい。
【図面の簡単な説明】
【００２２】
【図１】（Ａ）〜（Ｄ）はそれぞれ本発明の携帯型泡立て装置における回転子の実施の１形態を例示している各部分正面図。
【図２】本発明の携帯型泡立て装置における実施の１形態を例示している縦断側面図。
【図３】正面図。
【図４】本発明の携帯型泡立て装置における実施の他の１形態を例示している部分拡大正面図。
【図５】本発明の携帯型泡立て装置における実施の他の１形態を例示している部分拡大正面図。
【図６】本発明の携帯型泡立て装置における実施の他の１形態を例示している部分拡大横断面図。
【図７】カバーケースの斜視図。
【符号の説明】
【００２３】
１  回転子
１ａ  スクリュー軸
１ｂ  螺旋溝
１ｃ  平歯車
１ｄ  横向き突部
１ｅ  歯車
１ｆ  下向き突部
１ｇ  スクリュー
１ｈ  スパイラル軸
１ｉ  突条
１Ｊ  胴軸
１ｋ  突起部
１ｍ  通気孔
２  携帯型泡立て装置
３  キャップケース
３ａ  被嵌合部
４  電池
５  モーター
５ａ  駆動軸
６  スイッチ
７  カバーケース
７ａ  嵌合部
８  筒状体
８ａ  側面部
８ｂ  下側部分
８ｃ  縦長状開口部
８ｄ  乱流促進部（突出箇所）
９  飛散防止兼泡立て空間部
１１  ジョイント
１２  吸い込み口部
１３  吐き出し口部
１４  座部
１５  ジャック
１６  調速器
１７  電源プラグ
１８  防水材
１９  防水パッキング
２０  駆動部
２１  狭帯域
【図１】
2006075373.tif 000003
【図２】
2006075373.tif 000004
【図３】
2006075373.tif 000005
【図４】
2006075373.tif 000006
【図５】
2006075373.tif 000007
【図６】
2006075373.tif 000008
【図７】
2006075373.tif 000009